【事件の表示】
　上記当事者間の登録第５７３３００２号商標の登録取消審判事件について、次のとおり審決する。
【結　論】
　登録第５７３３００２号商標の指定役務中、第４２類「全指定役務」についての商標登録を取り消す。
　審判費用は、被請求人の負担とする。
【理　由】
第１　本件商標
　本件登録第５７３３００２号商標（以下「本件商標」という。）は、「ブーミー」の文字を表してなり、平成２６年８月７日に登録出願、第４２類「電子計算機の貸与，電子計算機用プログラムの提供，電子計算機のプログラムの設計・作成又は保守，アプリケーションサービスプロバイダーによるコンピュータプログラムの提供，アプリケーションサービスプロバイダーによるソフトウェアの提供，アプリケーションサービスプロバイダーによる電子計算機用プログラムの提供，アプリケーションサービスプロバイダによるコンピュータソフトウェアの提供，通信ネットワークを利用したアプリケーションソフトウェアの提供，インターネットにおけるコンピュータプログラムの提供，インターネットによる移動体電話機用のコンピュータプログラムの提供，インターネットウェブサイトを介してのコンピュータプログラムの提供，コンテンツマネジメントシステムにおけるコンピュータプログラムの提供，コンピュータネットワークを使用してグループで作業を効率よく進行させていくためのコンピュータプログラムの提供，コンピュータネットワークを通じてのコンピュータプログラムの提供に関する情報の提供，コンピュータプログラムのインストール・環境設定・バージョンアップ及びこれらに関するコンサルティング・情報の提供，コンピュータプログラムの提供およびこれに関する助言，コンピュータプログラムの導入に関する助言，データベースを利用するためのデータベース管理システム用コンピュータプログラムの提供，コンピュータプログラムの設計・作成又は保守に関する助言・指導及び情報の提供，コンピュータプログラム及びコンピュータソフトウェアの開発・設計・作成又は保守，コンピュータプログラム又はコンピュータシステムの設計・作成又は保守並びにこれらに関する助言，事業の管理・運営用コンピュータプログラムの設計・作成又は保守，情報管理用コンピュータプログラムの設計・作成・保守，電話及び電子メールによるコンピュータプログラムの保守に関する助言」並びに、第３５類及び第４１類に属する商標登録原簿に記載のとおりの役務を指定役務として、同２７年１月１６日に設定登録され、現に有効に存続しているものである。
　なお、本件審判の請求の登録日は、令和２年６月１８日であり、本件審判の請求の登録前３年以内の平成２９年６月１８日ないし令和２年６月１７日の期間を、以下「要証期間」という。
第２　請求人の主張
　請求人は、結論同旨の審決を求め、その理由及び答弁に対する弁駁の理由を要旨以下のように述べ、証拠方法として甲第１号証ないし甲第３号証を提出した。
　１　請求の理由
　本件商標は、その指定役務中、第４２類「全指定役務」（以下「請求に係る指定役務」という。）について、継続して３年以上日本国内において商標権者、専用使用権者又は通常使用権者のいずれも使用をしていないものであるから、その登録は商標法第５０条第１項の規定により取り消されるべきである。
　２　答弁に対する弁駁
（１）被請求人は、本件商標権者が、平成２６年から同２９年に至るまで、「Ｂｏｏｍｅ」（「ブーミー」、「ぶーみー」）の名称を冠したウェブマーケティングサービス（以下「本サービス」という場合がある。）の提供を継続していたと主張する。しかしながら、本件商標権者が当時開設していたＴｗｉｔｔｅｒでの本サービスのアカウントに掲載された情報によれば、本サービスは、平成２９年３月３１日をもって終了したとのことである（甲３）。本サービスの提供が平成２９年３月３１日をもって終了していたとすれば、本件商標が、要証期間の間に使用されたことの証明がないことは明らかである。
（２）乙第１号証は、いつ頃使用されていたかについて何ら示されていない。
（３）乙第２号証は、表紙に「２０１６年１月〜３月」と明示され、また、その２８頁に「本資料の有効期限は、２０１６年３月３１日掲載開始分までとさせていただきます。」との記載があり、本件商標が、要証期間に使用されたことは一切示されていない。
（４）乙第４号証は、２０１５年（平成２７年）３月時点において、本サービスが提供され、アンケートが実施されたという事実のみであり、本件商標が、要証期間に使用されたことは一切示されていない。
第３　被請求人の主張
　被請求人は、本件審判の請求は成り立たない、審判費用は請求人の負担とする、との審決を求め、答弁書及び審尋に対する回答書において、その理由を要旨次のように述べ、証拠方法として乙第１号証ないし乙第５号証を提出した。
　１　本件商標権者は、平成２６年以降、本件商標を冠したウェブマーケティングサービスの提供を開始し、同２９年に至るまで本サービスの提供を継続してきた（乙１、乙２）。
　２　本件商標権者は、同人が運営する動画メールサービス「Ｖｍａｉｌ」（乙３）と本サービスを連携させることも行ってきた（乙４）。
　３　本件商標権者は、本件商標を冠したウェブマーケティングサービスにおいて、一般消費者に対してはｉＯＳ／Ａｎｄｒｏｉｄ端末向けアプリを提供し（乙５）、当該アプリを通じてデジタルクーポンの提供等を行ってきた。このように、本件商標権者は、インターネットウェブサイトを介してのコンピュータプログラムの提供やこれらに関連する助言をはじめとしたサービスを提供してきた。
　４　本件商標権者は、２０１７年（審決注：２０１６年（平成２８年）の誤記と認める。）３月３１日２３時５９分を以て本サービス自体を終了する旨の告知を行ったが、その後、本サービスの提供に関連する業務を行ってきた（乙２）。
　また、本件商標権者は、本サービスの再開も検討している。
第４　当審の判断
　１　被請求人の提出に係る証拠及び同人の主張によれば、以下のとおりである。
（１）乙第２号証は、本件商標権者のメディアガイドであり、その表紙に「〜生活者・消費者と商品・サービスを繋ぐマーケティングサービス〜　Ｂｏｏｍｅメディアガイド」の記載の下、「２０１６年１月〜３月」及び「ピーシーフェーズ株式会社」の記載がある。そして、３頁に「Ｂｏｏｍｅ（ブーミー）とは？」の記載がある。また、「お問い合わせ先」（２８頁）において、「※本資料の有効期限は、２０１６年３月３１日掲載開始分迄とさせていただきます。」の記載がある（乙２）。
（２）乙第４号証は、本件商標権者のウェブサイトにおける「お知らせ」であり、「インターネットユーザーの約６割がスマホやデジカメの容量不足を懸念」の見出しの下、「・・・ピーシーフェーズ株式会社が提供するキャンペーンサイト『Ｂｏｏｍｅ』で実施したアンケートの結果でわかりました。」、「本アンケートは２０１５年３月に回答者の中から３００名にマイポケットが３ヶ月間無料で体験できる『マイポケットカード体験版』のプレゼントキャンペーンとして実施いたしました。」及び「Ｂｏｏｍｅ（ブーミー）（ｈｔｔｐｓ：／／ｂｏｏｍｅ．ｊｐ／ａｂｏｕｔ）は、ピーシーフェーズ株式会（審決注：「会社」の脱字と認める。）（ｈｔｔｐｓ：／／ｗｗｗ．ｐｃｐ．ｃｏ．ｊｐ／）が運営するＯ２Ｏで人と商品をつなぐ体験型マーケティングサービスです。」の記載がある。しかしながら、本資料の掲載日の記載は確認できない。なお、資料の右下下部に記載の紙出力日である「２０２０／０８／２７」は、要証期間外である。
（３）乙第５号証は、本件商標権者による２０１５年(平成２７年)５月１９日１２時付けのプレスリリースであり、「Ｏ２Ｏ体験型マーケティングサービス『Ｂｏｏｍｅ（ブーミー）』アプリの事前登録を開始。もれなくプレゼントのキャンペーンも開催！」の見出しの下、「ピーシーフェーズ株式会社・・・は、５月１３日（水）よりＯ２Ｏ体験型マーケティングサービス『Ｂｏｏｍｅ』において、ｉＯＳ／Ａｎｄｏｒｏｉｄ（審決注：「Ａｎｄｒｏｉｄ」の誤字と認める。）端末向けアプリの事前登録を開始しましたことをお知らせいたします。」の記載がある。
　２　判断
　前記１からすれば、本件商標権者が、少なくとも平成２７年（２０１５年）５月ないし同２８年（２０１６年）３月に、本件商標権者の業務に係るマーケティングサービスに、本件商標（社会通念上同一のものを含む、以下同じ。）を表示していたことはうかがえるとしても、要証期間内に請求に係る指定役務のいずれかに本件商標を使用していたことを客観的に確認できる証拠の提出は認められない。
　その他、被請求人の提出する証拠によっては、本件商標の、要証期間における請求に係る指定役務のいずれかについての使用を確認できない。
　してみれば、被請求人は、本件商標について、要証期間に、本件審判請求に係る指定役務について、本件商標を使用していた事実を証明していないものといわざるを得ない。
　３　被請求人の主張について
（１）被請求人は、本件商標権者が本サービスにおいて、本件商標を付した上でｉＯＳ／Ａｎｄｒｏｉｄ端末向けアプリ及びデジタルクーポンの提供を行ってきたことから、本件商標の請求に係る指定役務についての使用を行っている旨主張する。
　しかしながら、上記２のとおり、被請求人の提出する証拠によっては、要証期間内の本件商標権者による本件商標の使用の事実が確認できない。
（２）被請求人は、２０１７年（審決注：２０１６年（平成２８年）の誤記と認める。）３月３１日の本サービスの終了後にも本サービスの提供に関連する業務を行ってきたこと及び本件商標権者が本サービスの再開を検討している旨、主張している。
　しかしながら、本件商標権者が、仮に本サービスに係る業務を要証期間内に行っていたとしても、そのことを証する証拠の提出はなく、本サービスの提供自体は要証期間前に終了している。
　また、本サービスの再開の検討の主張は、要証期間内に本件商標の使用をしていないことの正当な理由とは認められない。
（３）したがって、被請求人の主張はいずれも採用できない。
　４　まとめ
　以上のとおり、被請求人は、本件審判の請求の登録前３年以内に日本国内において、商標権者、専用使用権者又は通常使用権者のいずれかが、請求に係る指定役務のいずれかについて、本件商標の使用をしていた事実を証明したものとは認められない。
　また、被請求人は、本件審判の請求に係る指定役務について、本件商標の使用をしていないことについて正当な理由があることも明らかにしていない。
　したがって、本件商標の登録は、商標法第５０条の規定により指定役務中「結論掲記の指定役務」についての登録を取り消すべきものである。
　よって、結論のとおり審決する。